(57)【要約】【課題】上下及び左右に隣接する各外壁材の接合部を通じて、これら外壁材の裏面側に雨水が浸入することを確実に防止できる留付金具及び外壁構造を提供すること。【解決手段】芋目地状に配置された複数の外壁材１４と、これら外壁材１４の角部に設けられ当該外壁材１４を建物の下地材に留め付ける留付金具１３とを備え、この留付金具１３は、上下に隣接する上側外壁材１４の下辺に形成された裏実部２２を係止する上板係止爪３４と、下側外壁材１４の上辺に形成された表実部２１を係止する下板係止爪３５と、表実部２１と裏実部２２との間に介装されるとともに、上下及び左右に隣接する各外壁材１４の接合部２８、２９に延在する止水部材４０とを備えることを特徴とする。【選択図】図６
2007321510.tif 000002
【特許請求の範囲】
【請求項１】
芋目地状に配置された外壁材の角部に設けられ、これら外壁材を建物の下地材に留め付ける留付金具であって、この留付金具は、上下に隣接する上側外壁材の下辺に形成された裏実部を係止する上板係止爪と、下側外壁材の上辺に形成された表実部を係止する下板係止爪と、前記表実部と前記裏実部との間に介装されるとともに、上下及び左右に隣接する各外壁材の接合部に延在する止水部材とを備えることを特徴とする留付金具。
【請求項２】
芋目地状に配置された複数の外壁材と、これら外壁材の角部に設けられ当該外壁材を建物の下地材に留め付ける留付金具とを備え、この留付金具は、上下に隣接する上側外壁材の下辺に形成された裏実部を係止する上板係止爪と、下側外壁材の上辺に形成された表実部を係止する下板係止爪と、前記表実部と前記裏実部との間に介装されるとともに、上下及び左右に隣接する各外壁材の接合部に延在する止水部材とを備えることを特徴とする外壁構造。
【発明の詳細な説明】
【技術分野】
【０００１】
本発明は、四方に合いじゃくり加工が施された外壁材を下地材に留め付ける留付金具、及び、この留付金具を用いた外壁構造に関する。
【背景技術】
【０００２】
一般に、四方に合いじゃくり加工が施された外壁材を建物の下地材に配置して形成される外壁構造が知られている。この種の外壁構造では、上下及び左右に隣接する一の外壁材の表実部と他の外壁材の裏実部との間にはメルト（シール材）が打設されており、このメルトを表実部及び裏実部にて狭持することにより、これら外壁材の隙間から雨水が浸入することを防止している。
しかし、上記メルトは、外壁材の幅方向及び高さ方向に亘って設けられるものであり、上下もしくは左右に隣接する外壁材の接合部には、このメルトの欠損部分が生じるため、この欠損部分から雨水が外壁材の裏面側に浸入するといった問題があった。
この問題を解決するために、従来、芋目地状に配置された左右に隣接する外壁材の接合部から浸入した雨水を、再び、外壁材の前方に排出するための通水路を備えるものが提案されている（例えば、特許文献１参照）。
【特許文献１】特開２００２−８１１８６号公報
【発明の開示】
【発明が解決しようとする課題】
【０００３】
しかし、従来のものでは、外壁材の接合部を通じて、一度は外壁材の裏面側に雨水が浸入するため、この雨水が下地材を腐朽させるおそれがあるといった問題がある。さらに、上下に隣接する外壁材の接合部におけるメルトの欠損部分からの雨水の浸入に対しては何ら対策が採られていないため、この欠損部分から雨水が浸入した場合には、この雨水が下地材を腐朽させるおそれがあるといった問題がある。
そこで、本発明の目的は、上下及び左右に隣接する各外壁材の接合部を通じて、これら外壁材の裏面側に雨水が浸入することを確実に防止できる留付金具及び外壁構造を提供することにある。
【課題を解決するための手段】
【０００４】
上記課題を解決するため、本発明は、芋目地状に配置された外壁材の角部に設けられ、これら外壁材を建物の下地材に留め付ける留付金具であって、この留付金具は、上下に隣接する上側外壁材の下辺に形成された裏実部を係止する上板係止爪と、下側外壁材の上辺に形成された表実部を係止する下板係止爪と、前記表実部と前記裏実部との間に介装されるとともに、上下及び左右に隣接する各外壁材の接合部に延在する止水部材とを備えることを特徴とする。この構成によれば、止水部材が上下に隣接する外壁材の接合部と、左右に隣接する外壁材に接合部とを一体的に覆うことにより、この接合部を通じて雨水が外壁材の裏面側に浸入することを防止できる。
【０００５】
また、本発明は、芋目地状に配置された複数の外壁材と、これら外壁材の角部に設けられ当該外壁材を建物の下地材に留め付ける留付金具とを備え、この留付金具は、上下に隣接する上側外壁材の下辺に形成された裏実部を係止する上板係止爪と、下側外壁材の上辺に形成された表実部を係止する下板係止爪と、前記表実部と前記裏実部との間に介装されるとともに、上下及び左右に隣接する各外壁材の接合部に延在する止水部材とを備えることを特徴とする。
【発明の効果】
【０００６】
本発明によれば、止水部材が上下に隣接する外壁材の接合部と、左右に隣接する外壁材に接合部とを一体的に覆うことにより、この接合部を通じて雨水が外壁材の裏面側に浸入することを防止できる。従って、浸入した雨水によって下地材が腐朽することが防止される。
【発明を実施するための最良の形態】
【０００７】
以下、図面を参照して本発明の一実施の形態について説明する。図１は、本実施形態にかかる家屋等の建物の外壁構造を示す縦断面図である。
この図に示すように、外壁構造は建物の基礎１０の上に配置された土台１１の上に設けられており、この土台１１に立設された柱もしくは間柱等の下地材１２と、この下地材１２に固定される留付金具１３と、この留付金具１３を介して、下地材１２に取り付けられる複数枚の外壁材１４とを備えて構成されている。本構成では、外壁材１４は、留付金具１３によって下地材１２に保持されているため、この下地材１２と外壁材１４との間には、この留付金具１３の厚みに相当する間隙の通気層１５が形成されている。この通気層１５は、建物の土台１１部分に形成された通気口１６及び軒天部分に形成された通気口（不図示）とを通じて屋外空間と連通しており、常時、外気による換気がなされている。
この構成によれば、通気層１５内に外気が流されることにより、例えば夏期における日射によって下地材１２、１２間に配置される断熱材１７が熱せられにくくなるため、冷房効率の向上を図ることができ、ひいては防暑効果を高めることができる。
【０００８】
また、下地材１２の室外側には防水シート１８が配置されるとともに、上記通気口１６の下方に水切部材１９が配置されている。この水切部材１９は、外壁材１４の表面を流れ落ちる雨水や、通気層１５を通じて排出された雨水または結露水を受けるものであり、留付金具１３と重ねて土台１１にねじ２０で固定されている。この構成では、通気層１５に雨水が浸入したり、この通気層１５内で結露水が生じた場合であっても、防水シート１８によって下地材１２及び断熱材１７が濡れることが防止されるため、断熱性能の低下や木材の腐朽を防ぐことができる。なお、本構成では、留付金具１３は、ねじ２０で土台１１もしくは下地材１２に固定されているが、例えば、釘で固定される構成としても良い。
【０００９】
外壁材１４は、図２に示すように、いわゆる芋目地状に横張り施工されており、留付金具１３は、上下及び左右に隣接する４枚の外壁材１４の角部にそれぞれ配置されている。この外壁材１４は窯業系の外壁材であって、図３に示すように、四方に合いじゃくり加工が施されている。具体的には、外壁材１４の上辺には表実部２１が形成され、この外壁材１４の下辺には、当該表実部２１に嵌合する裏実部２２が形成されている。また、外壁材１４の一方の側辺（本構成では図３中右側辺）には、横表実部２３が形成され、この外壁材１４の他方の側辺には、当該横表実部２３に嵌合する横裏実部２４が形成されている。本構成では、表実部２１の表面２１Ａ及び横表実部２３の表面２３Ａにはメルト（コーキング部材）２５が設けられている。このメルト２５は、一の外壁材１４に他の外壁材１４を嵌め合わせた際に、この他の外壁材１４の裏実部２２の裏面２２Ａもしくは横裏実部２４の裏面２４Ａによって押圧されることにより、これら外壁材１４間の接合部２８、２９（図２）からの雨水の浸入を防止するものである。本構成では、メルト２５は、表実部２１の表面２１Ａ及び横表実部２３の表面２３Ａに設けているが、外壁材２の裏実部２２の裏面２２Ａ及び横裏実部２４の裏面２４Ａに設ける構成としても良い。
【００１０】
また、表実部２１は、この表実部２１の上端部分に係止部２１Ｂを備える。この係止部２１Ｂは、根元から上端に移行するにつれて板厚が薄くなるようにテーパ状に形成されており、後述する留付金具１３の下板係止爪３５（図４）と嵌合する。これにより、外壁材１４の上辺（表実部２１）が留付金具１３に支持される。また、裏実部２２は、この裏実部２２の裏面２２Ａに対向する位置に係止部２２Ｂを備え、この係止部２２Ｂと裏面２２Ａとの間には切込溝２２Ｃが形成されている。この係止部２２Ｂは、根元から下端に移行するにつれて板厚が薄くなるようにテーパ状に形成されており、これら係止部２２Ｂ及び切込溝２２Ｃは、後述する留付金具１３の上板係止爪３４（図４）が嵌合することにより、外壁材１４の下辺（裏実部２２）が留付金具１３に支持される。
【００１１】
留付金具１３は、例えばステンレス鋼板等の一枚の鋼板からの打ち抜きと折り曲げ加工により形成されている。この留付金具１３は、図４に示すように、下地材１２への固定部となる平板状の基板部３１と、この基板部３１の左右の両端をそれぞれ前方に折り曲げて形成した側板部３２と、この側板部３２の一部の先端を基板部３１と略平行となるように折り曲げて形成した支持板部３３とを備える。この支持板部３３は、当該支持板部３３の下端を前方に折り曲げ、更にその先端を斜め上方に折り曲げて形成した上板係止爪３４と、当該先端を斜め下方に折り曲げて形成された下板係止爪３５とを備える。この下板係止爪３５は上板係止爪３４の外側に設けられ、これら上板係止爪３４及び下板係止爪３５は、外壁材１４の係止部２１Ｂ、２２Ｂの形状に合致するように形成されている。本構成では、支持板部３３と上板係止爪３４とで上側の外壁材１４を狭持することにより、この外壁材１４を安定的に保持している。
【００１２】
また、支持板部３３は、下板係止爪３５の外側に当該支持板部３３の下端から下方に延出する支持片３６を備える。この支持片３６は、下側の外壁材１４の裏面側に延在し、下板係止爪３５と協働して当該外壁材１４の係止部２１Ｂを狭持するものである。本構成では、支持片３６には、前方に突出した凸部３６Ａが形成されており、この凸部３６Ａによって、上記係止部２１Ｂをより強固に狭持することができる。
基板部３１の下端には、前方に折り曲げられた底板部３７と、この底板部３７の先端を基板部３１と略平行となるように折り曲げられた前板部３８とが形成されており、この前板部３８は、一側端（図中右側端）を前方に折り曲げて形成された片３９を備える。この片３９は、外壁材１４、１４間に配置され、この外壁材１４の側面に当接して当該外壁材１４の位置決めを行うものである。更に、この片３９は、例えば、地震等が生じた場合に、下地材１２とともに外壁材１４を揺動させて、これら下地材１２と外壁材１４との位置ずれを防止するものである。
【００１３】
また、留付金具１３は、側板部３２、３２間に配置される止水部材４０を備える。本構成では、止水部材４０は着脱自在に構成されている。この構成によれば、止水部材を一体的に形成する留付金具１３を作成する場合に比べて、作業工程が減少するとともに、作業手順が容易となり、ひいては製作コストの低減を図ることができる。この止水部材４０は、図５に示すように、例えばステンレス鋼板等の一枚の鋼板を曲げ形成した止水部材本体４１と、この止水部材本体４１に貼付されたシール部材４２とを備える。止水部材本体４１は、上記した留付金具１３の板材よりも薄肉の板材で形成されており、水平方向に延出する基部４３と、この基部４３の先端から斜め上方に折り曲げられた斜面部４４と、この斜面部４４の先端から下方に延出する前面部４５とを備える。また、基部４３の側端には、この側端の一部を下方に折り曲げて形成した係止片４６が設けられている。この係止片４６には、外方に突出した突起４７が形成され、この突起４７は留付金具１３の側板部３２に形成された係止孔４８に嵌るようになっている。この構成では、係止片４６に形成された突起４７を、係止孔４８に嵌めることにより、ねじ等の締結具を用いることなく、簡単な構成で止水部材４０を留付金具１３に取り付けることができる。さらに、留付金具１３の側板部３２に係止孔４８を設けるだけで止水部材４０を取り付けることができるため、既存の留付金具にも簡単にこの止水部材４０を取り付けることができる。
【００１４】
シール部材４２は、止水部材本体４１の斜面部４４の上面と、前面部４５の表面全域と、この前面部４５の裏面の一部（前面部４５の下端部分）に貼付されている。このシール部材４２は、高い水密性を保持するものであるため独立気泡の合成樹脂発泡体を用いることが望ましい。本構成では、この合成樹脂発泡体として、ＥＰＤＭ（エチレン・プロピレンゴム）が用いられている。
【００１５】
表実部２１の表面２１Ａに設けられたメルト２５は、図６に示すように、左右に隣接する外壁材１４の接合部２８にて分断され、これら外壁材１４、１４間にはメルト２５の欠損部分２５Ａが生じている。同様に、横表実部２３の表面２３Ａに設けられたメルト２５は、上下に隣接する外壁材１４の接合部２９にて分断され、これら外壁材１４、１４間にはメルト２５の欠損部分２５Ｂが生じている。
本構成では、止水部材４０は、これらメルトの欠損部分２５Ａ、２５Ｂを一体的に覆うように、上下及び左右の外壁材１４の接合部２８、２９に延在して配置されている。また、この止水部材４０は、図７に示すように、表実部２１と裏実部２２との間に介装されており、この止水部材４０のシール部材４２が裏実部２２の裏面２２Ａ、切込溝２２Ｃ及び係止部２２Ｂの当接するようになっている。
また、止水部材本体４１は薄肉の板材にて形成されているため、裏実部２２の係止部２２Ｂの形状に合わせて折り曲げることにより、表実部２１と裏実部２２との間に介装させることができる。この構成によれば、止水部材４０を表実部２１と裏実部２２との間に介装させるために新たに外壁材の実部を設計する必要は無く、既存の外壁材を利用することができる。
【００１６】
次に、止水部材４０の作用を説明する。
左右に隣接する外壁材１４、１４の隙間から外壁材１４の横表実部２３の表面２３Ａに至った雨水は、上下方向に延びるメルト２５に沿って形成される通水路５０を伝わって下方に流れ落ちる。この場合であっても、上下に隣接する外壁材１４の接合部２９の前面に延在する止水部材４０が配置されており、この止水部材４０のシール部材４２が裏実部２２の係止部２２Ｂに当接しているため、上記雨水はシール部材４２の上面を伝わり、矢印Ｘで示すように、外壁材１４の表面側に排出される。従って、雨水がメルト２５の欠損部分２５Ｂにある接合部２９を通じて、外壁材１４の裏面側に浸入することが防止される。
また、上下に隣接する外壁材１４、１４の隙間から外壁材１４の表実部２１の表面２１Ａに至った雨水は、左右方向に延びるメルト２５に沿って、このメルト２５の下方に形成された通水路５１を流れる。この場合であっても、左右に隣接する外壁材１４の接合部２８の前面に延在する止水部材４０が配置されており、この止水部材４０のシール部材４２がメルトの欠損部分２５Ａを覆うように表実部２１の表面２１Ａに当接しているため、上記雨水はシール部材４２の上面を伝わり、矢印Ｙで示すように、外壁材１４の表面側に排出される。従って、雨水がメルト２５の欠損部分２５Ａにある接合部２８を通じて、外壁材１４の裏面側に浸入することが防止される。このように、止水部材４０を上下及び左右の外壁材の接合部２８、２９に配置することにより、上方から流れ落ちる雨水とともに、横走りする雨水を同時に止めることができる。
【００１７】
以上説明したように、本実施形態によれば、芋目地状に配置された複数の外壁材１４と、これら外壁材１４の角部に設けられ当該外壁材１４を建物の下地材１２に留め付ける留付金具１３とを備え、この留付金具１３は、上下に隣接する上側外壁材１４の下辺に形成された裏実部２２を係止する上板係止爪３４と、下側外壁材１４の上辺に形成された表実部２１を係止する下板係止爪３５と、表実部２１と裏実部２２との間に介装されるとともに、上下及び左右に隣接する各外壁材１４の接合部２８、２９に延在する止水部材４０とを備えるため、外壁材１４を下地材１２に留め付けるとともに、止水部材４０が接合部２８、２９を一体的に覆うことにより、この接合部２８、２９を通じて雨水が外壁材１４の裏面側に浸入することが防止される。従って、簡単な構成で上記接合部２８、２９を通じて雨水の浸入を防止できるため、この雨水の浸入に伴う不具合の発生（例えば、木材の腐朽など）を防止することができる。
【００１８】
また、本実施形態によれば、止水部材４０は、留付金具１３に着脱自在に構成されているため、止水機能を必要としない場合には、この止水部材４０を取り外すことにより、無駄な部品をなくすことができ、部品の共通化及び製作コストの低減化を図ることができる。
【００１９】
以上、本実施の形態を説明したが、本発明はこれに限定されるものではなく、種々の変更が可能である。例えば、本実施形態では、留付金具１３は下地材１２としての柱もしくは間柱に取り付けられる構成について説明したが、これに限るものだはなく、上記柱及び間柱に掛け渡される横銅縁に取り付けられる構成としても良い。
【００２０】
また、本実施形態では、留付金具１３の側板部３２に係止孔４８を形成し、この係止孔４８に止水部材４０の係止片４６に形成された突起４７を嵌め込むことにより、止水部材４０を留付金具１３に取り付ける構成としていたが、止水部材の取り付け方法はこれに限るものではない。次に、図８乃至図１０を参照して留付金具の変形例を説明する。なお、上記留付金具１３及び止水部材４０と同一の構成を有するものは、同一の符号を付して説明を省略する。
図８は留付金具の第１変形例を示す。
この留付金具６０は、側板部３２に止水部材４０の係止片４６が挿入される受け部６１が形成されている。この受け部６１は、側板部３２に水平方向に２本の切り込み６２を設け、この切り込み６２、６２の間の中央部分６３を側板部３２の外側から押圧することによって形成している。なお、本構成では、係止片４６に突起が形成されていない。この構成によれば、側板部３２に形成された受け部６１に、止水部材４０の係止片４６を挿入することによって、簡単に止水部材４０を留付金具６０に取り付けることができる。
図９は留付金具の第２変形例を示す。
この留付金具７０は、基板部３１の幅方向に受け部７１が形成されている。この受け部７１は、基板部３１に水平方向に２本の切り込み７２を設け、この切り込み７２、７２の間の中央部分７３を基板部３１の外側から押圧することによって形成している。また、止水部材７４は、止水部材本体７５の基部７６が留付金具７０の厚み相当の長さに設定され、この基部７６の先端から下方に延出して、上記受け部７１に係止する係止片７７を備えて構成されている。この構成によっても、基板部３１に形成された受け部７１に、止水部材７４の係止片７７を挿入することによって、簡単に止水部材７４を留付金具７０に取り付けることができる。
図１０は留付金具の第３変形例を示す。
この留付金具８０は、側板部３２に前方に開口し、水平方向に延びるスリット８１備える。一方、止水部材８２は、止水部材本体８３の基部８４に、この基部８４の幅方向に延出する波上の凹凸部８５が形成されている。この凹凸部８５の高さは、スリット８１の高さを略同一に設定されている。このため、凹凸部８５とスリット８１との挿し込み摩擦により、留付金具８０に取り付けた止水部材８２が簡単に外れないようになっている。この構成によっても、側板部３２に形成されたスリット８１に、止水部材８２の基部８４を挿入することによって、簡単に止水部材８２を留付金具８０に取り付けることができる。
【００２１】
また、本実施形態では、芋目地状に配置された外壁材１４の角部に留付金具１３を配置し、この留付金具１３の止水部材４０が上下及び左右に隣接する外壁材１４の接合部２８、２９を一体的に覆うことにより、これら接合部２８、２９を通じて雨水が外壁材１４の裏面に浸入することを防止した構成について説明したが、この種の留付金具を、いわゆる馬乗り目地状に配置した外壁材の角部に配置することもできる。この留付金具は、上記した留付金具１３と略同一の構成を有するため、説明を省略する。
この構成では、留付金具は、左右に隣接する外壁材の接合部の上端部及び下端部に配置されることになる。この場合、馬乗り目地状に配置された外壁材では、左右に隣接する外壁材の接合部が上下方向に連続しない。このため、上記接合部の下端部に配置される留付金具は、上記留付金具１３と異なり、左右の外壁材間に介装される片３９を備えない構成となる。なお、上記接合部の上端部に配置される留付金具は留付金具１３と同一のものを配置しても良い。
【００２２】
この構成によれば、以下の作用効果を奏する。
上下に隣接する外壁材の隙間から当該外壁材の表実部の表面に至った雨水は、左右方向に延びるメルトに沿って、このメルトの下方に形成された通水路を流れる。この場合であっても、左右に隣接する外壁材の接合部の上端部に配置される留付金具は、この接合部の前面に延在する止水部材を備え、この止水部材のシール部材が上記メルトの欠損部分を覆うように表実部の表面に当接するようになっている。このため、雨水はシール部材の上面を伝わり外壁材の表面側に排出される。従って、雨水が左右に延びるメルトの欠損部分を通じて、外壁材の裏面側に浸入することが防止される。
一方、左右に隣接する外壁材の隙間から当該外壁材の横表実部の表面に至った雨水は、上下方向に延びるメルトに沿って形成される通水路を伝わって下方に流れ落ちる。この場合であっても、左右に隣接する外壁材の接合部の下端部に配置される留付金具は、この接合部の前面に延在する止水部材を備え、この止水部材のシール部材が上記メルトの欠損部分を覆っている。このため、雨水はシール部材の上面を伝わり外壁材の表面側に排出される。従って、雨水が上下に延びるメルトの欠損部分を通じて、外壁材の裏面側に浸入することが防止される。
このように、左右に隣接する外壁材の接合部の上端部及び下端部に配置された留付金具のシール部材が、それぞれ上下もしくは左右に延びるメルトの欠損部分を覆うことにより、これら欠損部分を通じて雨水が外壁材の裏面側に浸入することが防止され、この雨水の浸入に伴う不具合の発生（例えば、木材の腐朽など）を防止することができる。
【図面の簡単な説明】
【００２３】
【図１】本実施形態にかかる建物の外壁構造を示す縦断面図である。
【図２】この外壁構造の正面図である。
【図３】外壁材の外観斜視図である。
【図４】留付金具の外観斜視図である。
【図５】止水部材を外した状態を示す留付金具の分解斜視図である。
【図６】外壁構造を示す斜視図である。
【図７】外壁構造の部分縦断面図である。
【図８】留付金具の変形例を示す外観斜視図である。
【図９】留付金具の変形例を示す外観斜視図である。
【図１０】留付金具の変形例を示す外観斜視図である。
【符号の説明】
【００２４】
１２  下地材
１３、６０、７０、８０  留付金具
１４  外壁材
２１  表実部
２１Ｂ  係止部
２２  裏実部
２２Ｂ  係止部
２５  メルト
２８、２９  接合部
３４  下板係止爪
３５  上板係止爪
４０、７４、８２  止水部材
【図１】
2007321510.tif 000003
【図２】
2007321510.tif 000004
【図３】
2007321510.tif 000005
【図４】
2007321510.tif 000006
【図５】
2007321510.tif 000007
【図６】
2007321510.tif 000008
【図７】
2007321510.tif 000009
【図８】
2007321510.tif 000010
【図９】
2007321510.tif 000011
【図１０】
2007321510.tif 000012